(57)【要約】  記憶装置（２０）を固定する記憶装置取付部（１０８）と、記憶装置（２０）に格納されたデータの少なくとも一部を、読み出し不可能な状態にするデータ読取抑止処理部（１０）と、記憶装置（２０）の読出抑止指示を入力するスイッチ部（Ｓ１）とをそなえ、このスイッチ部（Ｓ１）から読出抑止指示が入力された場合に、データ読取抑止処理部（１０）が、記憶装置（２０）に格納されたデータの少なくとも一部を、読み出し不可能な状態にするように構成することにより、記憶装置（２０）上のデータを確実且つ容易に読出不可能な状態にするとともに、汎用の記憶装置についても安価にデータ漏洩の防止を行なうようにする。
2010029636.tif 000002
【特許請求の範囲】
【請求項１】
データを格納する記憶装置を取り付け可能に構成され、情報処理装置に接続する記憶拡張装置に取り外し可能に取り付けられる記憶装置搭載枠であって、
前記記憶装置を前記記憶装置搭載枠に固定する記憶装置取付部と、
前記記憶装置の読出抑止指示が入力されるスイッチ部と、
前記スイッチ部から前記読出抑止指示が入力された場合に、前記記憶装置に格納されたデータの少なくとも一部を、読み出し不可能な状態にするデータ読取抑止処理部と、
を有することを特徴とする、記憶装置搭載枠。
【請求項２】
前記データ読取抑止処理部が、前記記憶装置に格納された前記データを、上書き用データを用いて上書き消去することにより、前記記憶装置に格納されたデータの少なくとも一部を読み出し不可能な状態にすることを特徴とする、請求項１記載の記憶装置搭載枠。
【請求項３】
前記データが前記記憶装置に暗号化して格納されている場合に、前記データ読取抑止処理部が、前記記憶装置に格納されている復号情報を消去することにより、前記記憶装置に格納されたデータの少なくとも一部を読み出し不可能な状態にすることを特徴とする、請求項１記載の記憶装置搭載枠。
【請求項４】
前記データ読取抑止処理部が、前記記憶装置に対してパスワードを設定することにより、前記記憶装置に格納されたデータの少なくとも一部を読み出し不可能な状態にすることを特徴とする、請求項１記載の記憶媒体ユニット搭載枠
【請求項５】
前記データ読取抑止処理部が、前記記憶装置における所定記憶領域を一括消去することにより、前記記憶装置に格納されたデータの少なくとも一部を読み出し不可能な状態にすることを特徴とする、請求項１記載の記憶装置搭載枠。
【請求項６】
前記スイッチ部が、前記記憶装置搭載枠が前記記憶拡張装置から取り外されたことを検出する取り外し検出スイッチとして構成されたことを特徴とする、請求項１〜請求項５のいずれか１項に記載の記憶装置搭載枠。
【請求項７】
前記記憶装置搭載枠はさらに、蓄電部をそなえ、
前記記憶装置搭載枠が前記記憶拡張装置から取り外された状態において、前記蓄電部が、前記データ読取抑止処理部に対して電力を供給することを特徴とする、請求項１〜請求項６のいずれか１項に記載の記憶装置搭載枠。
【請求項８】
前記記憶装置搭載枠はさらに、発光部をそなえ、
前記発光部が、前記データ読取抑止処理部に関する処理状態を発光状態により通知することを特徴とする、請求項１〜請求項７のいずれか１項に記載の記憶装置搭載枠。
【請求項９】
データを格納する記憶装置と、
前記記憶装置を前記記憶装置搭載枠に固定する記憶装置取付部と、
前記記憶装置の読出抑止指示を入力するスイッチ部と、
前記スイッチ部から前記読出抑止指示が入力された場合に、前記記憶装置に格納されたデータの少なくとも一部を、読み出し不可能な状態にするデータ読取抑止処理部と、
を有することを特徴とする、記憶拡張装置。
【請求項１０】
記憶装置搭載枠に固定された、データを格納する記憶装置の制御方法において、
前記記憶装置搭載枠が有するスイッチ部に、前記記憶装置の読出抑止指示が入力されるステップと、
前記スイッチ部から前記読出抑止指示が入力された場合に、データ読取抑止処理部が、前記記憶装置に格納されたデータの少なくとも一部を、読み出し不可能な状態にするステップと、
を有することを特徴とする、記憶装置の制御方法。
【発明の詳細な説明】
【技術分野】
【０００１】
本発明は、データを格納可能な記憶装置を取り付け可能に構成され、記憶拡張装置に取り外し可能に取り付けられる記憶装置搭載枠、記憶拡張装置及び記憶装置の制御方法に関する。
【背景技術】
【０００２】
従来、ＨＤＤ（Hard Disk Drive：磁気ディスク装置）やＳＳＤ（Silicon Storage Device：半導体記憶装置）等の記憶装置に記録されたデータを消去する手法として、コンピュータにおいてデータ消去ソフトウェアを実行する手法や、専用のデータ消去装置を用いる方法が知られている。
図９および図１０はそれぞれ従来のデータ消去手法を説明するための図であり、図９はデータ消去ソフトウェアがインストールされたコンピュータの構成を模式的に示す図、図１０はデータ消去装置の外観を示す斜視図である。【０００３】
データ消去ソフトウェアを用いて記憶装置のデータ消去を行なう場合には、図９に示すように、ＰＣ（Personal Computer）やサーバ等のコンピュータ５００にデータ消去ソフトウェアをインストールした上で、このコンピュータ５００にデータ消去対象の記憶装置５０１を搭載する。
そして、このコンピュータ５００においてデータ消去ソフトウェアを実行することにより、このデータ消去ソフトウェアが、記憶装置５０１のデータ消去を行なうのである。【０００４】
データ消去装置６００は、記憶装置５０１のデータ消去に特化した装置であって、図１０に示すように、例えば、記憶装置５０１を接続するためのインタフェース６０１や、入力スイッチ６０２，プロセッサ（図示省略），データ消去用プログラムを記録したメモリ（図示省略）等をそなえて構成されている。
そして、このデータ消去装置６００のインタフェース６０１に、データ消去対象の記憶装置５０１を取り付けて、入力スイッチ６０２からデータ消去開始の指示を入力することにより、プロセッサがデータ消去用プログラムを実行して、記憶装置５０１のデータ消去が行なわれる。【０００５】
これらの記憶装置のデータの消去は、例えば、コンピュータの予防保守作業において、顧客のコンピュータシステムのＨＤＤを交換する場合に、このＨＤＤに格納されていた顧客データの外部への漏洩を防止する目的等で行なわれる。
しかしながら、上述の如き従来のデータ消去手法において、例えば、データ消去ソフトウェアを用いて記憶装置のデータ消去を行なう手法では、コンピュータにデータ消去ソフトウェアがインストールされていなければ、データ消去を行なうことができないという課題がある。【０００６】
また、たとえ、引き取り対象のＨＤＤを搭載したコンピュータにデータ消去ソフトウェアがインストールされている場合であっても、運用中のコンピュータにおいてデータ消去ソフトウェアを実行することは、運用中のジョブやシステムの処理速度の観点から望ましいものではない。データ消去ソフトウェアの実行により、誤って、消去対象外のＨＤＤのデータや使用中のデータを消去してしまうおそれもある。【０００７】
また、運用中のコンピュータに代えて、保守作業員が持参する携帯型コンピュータ（ノートＰＣ）等にデータ消去ソフトウェアをインストールして、ＨＤＤをこの保守作業員のコンピュータに接続することも考えられる。しかしながら、情報漏洩やコンピュータウィルスに感染するおそれ等、セキュリティ上の理由で、保守作業員のノートＰＣ等に顧客のＨＤＤを接続することは望ましくない。【０００８】
一方、データ消去装置６００を用いて顧客のＨＤＤのデータを削除する場合には、保守作業員がデータ消去装置６００を客先に持参しなければならないという課題がある。
そこで、例えば、データ消去機能をそなえたディスクドライブが知られている。この手法においては、スイッチが操作されると、ディスクドライブにそなえられたＣＰＵがデータ消去プログラムを実行して、ディスクドライブ上のデータセクタを消去するようになっている。
【特許文献１】特開２００３−１６７６８１号公報
【発明の開示】
【発明が解決しようとする課題】
【０００９】
しかしながら、上記の手法においては、データ消去機能をそなえていないディスクドライブのデータは消去することができない。又、データ消去機能を実現するためにＣＰＵに電力が供給される必要があり、従って、ディスクドライブがサーバやディスクアレイ装置に実装された状態でないとデータの削除を行なうことができず、利便性が低い。
本発明は、このような課題に鑑み創案されたもので、記憶装置上のデータを確実且つ容易に読出不可能な状態にするとともに、汎用の記憶装置についても安価にデータ漏洩の防止を行なうことができるようにすることを目的とする。
【課題を解決するための手段】
【００１０】
上記の目的を達成するために、この記憶装置搭載枠は、データを格納可能な記憶装置を取り付け可能に構成され、記憶拡張装置に取り外し可能に取り付けられる記憶装置搭載枠であって、前記記憶装置を前記記憶装置搭載枠に固定する記憶装置取付部と、前記記憶装置に格納されたデータの少なくとも一部を、読み出し不可能な状態にするデータ読取抑止処理部と、前記記憶装置の読出抑止指示を入力するスイッチ部とをそなえ、前記スイッチ部から前記読出抑止指示が入力された場合に、前記データ読取抑止処理部が、前記記憶装置に格納されたデータの少なくとも一部を、読み出し不可能な状態にするように構成されている。【００１１】
また、この記憶拡張装置は、データを格納する記憶装置と、前記記憶装置を前記記憶装置搭載枠に固定する記憶装置取付部と、前記記憶装置の読出抑止指示を入力するスイッチ部と、前記スイッチ部から前記読出抑止指示が入力された場合に、前記記憶装置に格納されたデータの少なくとも一部を、読み出し不可能な状態にするデータ読取抑止処理部と、を有している。【００１２】
さらに、この記憶装置の制御方法は、記憶装置搭載枠に固定された、データを格納する記憶装置の制御方法において、前記記憶装置搭載枠が有するスイッチ部に、前記記憶装置の読出抑止指示が入力されるステップと、前記スイッチ部から前記読出抑止指示が入力された場合に、データ読取抑止処理部が、前記記憶装置に格納されたデータの少なくとも一部を、読み出し不可能な状態にするステップと、を有している。
【発明の効果】
【００１３】
開示の記憶装置搭載枠、記憶拡張装置及び記憶装置の制御方法においては、オペレータがスイッチ部から読出抑止指示を入力することにより、記憶装置のデータを読み出し不可能な状態にすることができ、記憶装置のデータの漏洩等を確実に阻止して信頼性を向上させることができる。
【図面の簡単な説明】
【００１４】
【図１】第１実施形態としての記憶装置搭載枠の機能構成を模式的に示す図である。
【図２】第１実施形態の記憶装置搭載枠が取り付けられるストレージブレード装置の例を示す斜視図である。
【図３】第１実施形態の記憶装置搭載枠の例を示す斜視図である。
【図４】第１実施形態の記憶装置搭載枠の例を示す斜視図である。
【図５】第１実施形態の記憶装置搭載枠のレバー部の構成を模式的に示す図である。
【図６】第２実施形態としての記憶装置搭載枠の機能構成を模式的に示す図である。
【図７】第３実施形態としての記憶装置搭載枠の機能構成を模式的に示す図である。
【図８】第４実施形態としての記憶装置搭載枠の機能構成を模式的に示す図である。
【図９】従来のデータ消去手法を説明するための図である。
【図１０】従来のデータ消去手法を説明するための図である。
【符号の説明】
【００１５】
１    ストレージブレード装置
１１  経路スイッチ部
１２    ＬＥＤ点灯制御部
１３    電源制御部
１４    ＬＥＤ
１５    バッテリ（蓄電部）
１６    第１インタフェース
１７    第２インタフェース
２０    記憶装置
２０ａ    インタフェース部
１００    記憶装置搭載枠
１０１    レバー部
１０１ａ    ロック部
１０１ｂ    支持ピン
１０１ｃ    レバー部材
１０１ｄ    導光部
１０２    記憶装置搭載部
１０３    フレーム
１０３ａ，１０３ｂ，１０３ｃ    フレーム部材
１０４    基板部
１０５    電源制御ユニット
１０６    制御チップ
１０７    コネクタ部
１０８    取り付けネジ
１０９    プリント基板
１１１    スロット
１１２    ハンドル
１１４    ＬＥＤ発光モジュール
Ｓ１    操作スイッチ
Ｓ２    操作スイッチ，接続検出スイッチ
【発明を実施するための最良の形態】
【００１６】
以下、図面を参照して本実施形態の一例を説明する。
（Ａ）第１実施形態の説明
図１は第１実施形態としての記憶装置搭載枠の機能構成を模式的に示す図、図２は第１実施形態の記憶装置搭載枠が取り付けられるストレージブレード装置の例を示す斜視図である。又、図３および図４は第１実施形態の記憶装置搭載枠の例を示す斜視図であり、図３はその表側面を示す斜視図、図４はその裏側面を示す斜視図である。又、図５はそのレバー部の構成を模式的に示す図である。ここで、ストレージブレード装置とは、筐体に複数のストレージブレード（ＨＤＤユニット）を実装することにより、ストレージ装置の統合環境を実現した装置である。【００１７】
第１実施形態の記憶装置搭載枠１００は、記憶装置２０を取り付け可能に構成されるとともに、ストレージブレード装置（記憶拡張装置）１に対して取り外し可能に取り付けられるものであって、記憶装置２０を取り付けた状態で、ストレージブレード装置（記憶拡張装置）１に取り付けられることにより、ストレージブレード装置1に対して、記憶装置２０を通信可能に取り付ける（搭載，マウント）ものである。【００１８】
ここで、記憶装置２０は、データの書き込み／読み出しが可能な記憶装置であって、例えば、ＨＤＤやＳＳＤによって構成されている。
なお、記憶装置２０としてＨＤＤを用いる場合には、例えば、ＡＴＡ（Advanced Technology Attachment）やＳＡＴＡ（Serial Advanced Technology Attachment），ＳＣＳＩ（Small Computer System Interface），ＳＡＳ（Serial Attached SCSI），ＦＣ（Fibre Channel）の規格のＨＤＤが用いられる。【００１９】
また、記憶装置２０は既知のものに適用できるため、便宜上、その機能や構成についての説明は省略する。
ストレージブレード装置１は、図示しない情報処理装置（サーバやホストコンピュータ等）に通信可能に接続され、この情報処理装置に対してディスク容量を提供するストレージ装置である。このストレージブレード装置１には、図２に示すように、予め規格によって定められた共通サイズの１以上のスロット１１１が形成されており（図２に示す例では１４個）、これらのスロット１１１に、それぞれ、記憶装置２０を取り付けた本記憶装置搭載枠１００を挿入することができるようになっている。【００２０】
すなわち、ストレージブレード装置１は、予め規格によって定められた共通サイズのブレード（=刃）のように細い記憶装置搭載枠１００（記憶装置２０）を差し込むことで複数の記憶装置を高密度に搭載可能なストレージ装置（ブレード型ストレージサブシステム）として構成されている。
そして、これらのスロット１１１に任意の数の記憶装置搭載枠１００（記憶装置２０）を取り付けることにより、ディスクスペースの容量を容易に変更することができるようになっている。【００２１】
また、ストレージブレード装置１は、図示しないブレードサーバの筐体（ラック）に取り付けられるようになっており、予め規格化された寸法形状をそなえて構成されている。ここで、ブレードサーバとは、Ｕ（Unit）単位の高さを持つ標準筐体にブレード（=刃）のように細いサーバを差し込んで取り付けることで、複数のサーバを高密度に設置することを可能とするサーバシステムである。【００２２】
このストレージブレード装置１は、図２に示すように、ハンドル１１２をそなえて構成されており、ストレージブレード装置１をブレードサーバの筐体に取り付け／取り外しを行なう際には、オペレータは、このハンドル１１２を把持する。
記憶装置搭載枠１００は、図３に示すように、フレーム１０３，レバー部１０１および基板部１０４をそなえて構成され、フレーム１０２中の記憶装置搭載部１０２に記憶装置２０を取り付けることができるようになっている。【００２３】
フレーム１０３は、図５に示すように、フレーム部材１０３ａ，１０３ｂ，１０３ｃを「コの字型」に配設することにより構成され、フレーム部材１０３ａとフレーム部材１０３ｃとを平行に配設した状態で、フレーム部材１０３ａの一端部をフレーム部材１０３ｂの一端部と結合し、又、フレーム部材１０３部の他端部をフレーム部材１０３ｃの一端部に結合することにより構成されている。【００２４】
そして、これらのフレーム部材１０３ａ，１０３，１０３ｃによって環囲された空間が、記憶装置２０が配置される記憶装置搭載部１０２として機能するようになっている。又、この記憶装置搭載部１０２に記憶装置２０を取り付けた状態においては、記憶装置２０のインタフェース部２０ａが、記憶装置搭載枠１００の第１インタフェース（Ｉ／Ｆ）１６に接続されるようになっている。【００２５】
なお、この記憶装置搭載部１０２において記憶装置２０をフレーム１０３に固定する手法には種々の手法により実現することができる。例えば、フレーム部材１０３ａ，１０３ｃに形成された取り付け穴を介して、記憶装置２０に予め形成されたネジ穴に取付ネジ（記憶装置取付部）１０８を螺合することにより、記憶装置２０を記憶装置搭載枠１００に固定してもよく、本実施形態の趣旨を逸脱しない範囲で種々変形して実施することができる。【００２６】
また、フレーム部材１０３ｂにおける記憶装置搭載部１０２とは反対側にはレバー部１０１が配置されている。
このレバー部１０１は、オペレータが本記憶装置搭載枠１００をストレージブレード装置１に取り付けもしくは取り外しを行なう際に把持するための構造体（レバー，ハンドル）である。このレバー部１０１は、図５に示すように、レバー部材１０１ｃがフレーム部材１０３ｂの一端部に支持ピン１０１ｂを介して枢支されることにより構成されており、レバー部材１０１は、この支持ピン１０１ｂを中心に開閉自在に取り付けられている。【００２７】
また、レバー部材１０１ｃにおける支持ピン１０１ｂとは反対側の端部付近には、レバー部材１０１ｃを閉じた状態において、このレバー部材１０１ｃをフレーム部材１０３ｂに取り外し可能に固定するためのロック部１０１ａが形成されている。
なお、このロック部１０１ａは種々の構成により実現されるものであって、例えば、レバー部材１０１ｃからフレーム部材１０３ｂに向かって突出する突起部（図示省略）をそなえて構成され、レバー部材１０１ｃを閉じた状態において、この突起部がフレーム部材１０１ｂに形成された取り付け穴（図示省略）に系合するように構成されている。【００２８】
また、フレーム部材１０３ｃにおけるフレーム部材１０３ｂ側の端部付近には、ＬＥＤ（Light Emitting Diode）発光モジュール１１４と操作スイッチＳ１が配設されている。
ＬＥＤ発光モジュール１１４は、後述する基板部１０４の制御チップ１０６により点灯／消灯が制御されるようになっている。又、レバー部材１０１ｃにおける、レバー部１０１を閉状態にした際にＬＥＤ発光モジュール１１４と対向する位置には、このＬＥＤ発光モジュール１１４から出力される光を外部に導く導光部１０１ｄが形成されている。【００２９】
この導光部１０１ｄは、例えば、レバー部材１０１ｃに形成された穴の内部に導光用の透明樹脂（導光プラスチック）をそなえることにより構成されており、これにより、レバー部１０１を閉状態にした際においても、ＬＥＤ発光モジュール１１４の点灯状態をオペレータが視認することができるようになっている。
操作スイッチ（スイッチ部）Ｓ１は、オペレータが操作可能なスイッチであって、例えばプッシュスイッチにより構成されている。又、レバー部材１０１ｃにおける、レバー部１０１を閉状態にした際に操作スイッチＳ２と対向する位置には、例えば穴が形成されており、レバー部１０１を閉状態にした際においても、オペレータは、この穴を介して操作スイッチＳ１の操作を行なうことができるようになっている。【００３０】
そして、本記憶装置搭載枠１００においては、オペレータがこの操作スイッチＳ１を操作することにより、読出抑止指示を入力するようになっている。
また、本記憶装置搭載枠１００において、記憶装置搭載部１０２におけるレバー部１０１が配置された側とは反対側位置には基板部１０４が配置されている。
基板部１０４は、本記憶装置搭載枠１００における種々の機能（制御等）を実現するための機器をプリント基板１０９上にそなえて構成され、図４に示すように、プリント基板１０９，制御チップ１０６，電源制御ユニット１０５，接続検出スイッチＳ２，コネクタ部１０７をそなえて構成されている。【００３１】
制御チップ１０６は、本記憶装置搭載枠１００における種々の制御を実現するためのものであり、例えば、ＡＳＩＣ（Application Specific Integrated Circuit）やＦＰＧＡ（Field Programmable Gate Array）等の集積回路として構成されている。なお、この制御チップ１０６の機能については後述する。
電源制御ユニット１０５は、記憶装置搭載枠１００における各部への電力供給を制御するものである。接続検出スイッチ（スイッチ部）Ｓ２は、記憶装置搭載枠１００とストレージブレード装置１との接続上体を検出するためのスイッチである。【００３２】
例えば、接続検出スイッチＳ２をプッシュスイッチにより構成し、記憶装置搭載枠１００がストレージブレード装置１のスロット１１１に挿入されて取り付けられた時に押下されるように構成することにより、記憶装置搭載枠１００がストレージブレード装置１に取り付けられた状態や、記憶装置搭載枠１００がストレージブレード装置１から取り外された状態を検出することができるようになっている。【００３３】
コネクタ部１０７は、本記憶装置搭載枠１００をストレージブレード装置１のスロット１１１に挿入した際に、このスロット１１１に形成されたインタフェース（図示省略）と接続されるインタフェースであって、このコネクタ部１０７を介して、記憶装置２０とストレージブレード装置１が接続される情報処理装置との間でデータや制御信号の授受が行なわれるようになっている。又、ストレージブレード装置１から本記憶装置搭載枠１００や記憶装置２０への電力供給も、このコネクタ部１０７を介して行なわれるようになっている。【００３４】
次に、図１を参照しながら、第１実施形態としての記憶装置搭載枠１００の機能を説明する。
本記憶装置搭載枠１００は、図１に示すように、データ消去制御部（データ読取抑止処理部）１０，経路スイッチ部１１，ＬＥＤ点灯制御部１２，電源制御部１３，ＬＥＤ１４，バッテリ（蓄電部）１５，第１インタフェース（Ｉ／Ｆ）１６，第２インタフェース（Ｉ／Ｆ）１７およびスイッチ（Ｓ／Ｗ）Ｓ１，Ｓ２をそなえて構成されている。【００３５】
バッテリ（蓄電部）１５は、電力を蓄電するとともに、その蓄電した電力を外部に供給（出力）するものであって、後述する電源制御部１３によって、その蓄電および電力供給を制御されるようになっている。
電源制御部１３は、本記憶装置搭載枠１００および記憶装置２０に対する電力供給を制御するものであって、記憶装置２０や、制御チップ１０６（経路スイッチ部１１，データ消去制御部１０，ＬＥＤ点灯制御部１２；詳細は後述）が、それぞれ各機能を実現するための電力供給や、ＬＥＤ１４を点灯させるための電力供給を行なうようになっている。【００３６】
この電源制御部１３は、本記憶装置搭載枠１００がストレージブレード装置１に接続され、このストレージブレード装置１から第２インタフェース１７を介して電力供給が行なわれている場合には、このストレージブレード装置１から供給される電力を、本記憶装置搭載枠１００の各部や記憶装置２０に供給するようになっている。又、電源制御部１３は、本記憶装置搭載枠１００がストレージブレード装置１から電力供給が行なわれていない場合には、バッテリ１５の電力をこれら本記憶装置搭載枠１００の各部や記憶装置２０に供給するようになっている。【００３７】
また、この電源制御部１３は、記憶装置搭載枠１００がストレージブレード装置１に接続され、このストレージブレード装置１から第２インタフェース１７を介して電力供給が行なわれている場合には、ストレージブレード装置１から供給される電力をバッテリ１５に供給し、このストレージブレード装置１から供給される電力によりバッテリ１５を充電する（蓄電させる）ようになっている。更に、電源制御部１３は、バッテリ１５の充電を行なう際には、過充電の防止等の制御等も行なうようになっている。【００３８】
なお、図１中においては、便宜上、本記憶装置搭載枠１００の各部や記憶装置２０へ電力を供給するための電力供給線等の図示を省略している。
そして、この電源制御部１３およびバッテリ１５は、例えば、図４に示す電源制御ユニット１０５によって実現される。
第１インタフェース（Ｉ／Ｆ）１６は、記憶装置２０と本記憶装置搭載枠１００とを接続するためのインタフェースであって、記憶装置２０のインタフェース部２０ａと接続されるようになっている。【００３９】
また、この第１インタフェース１６には、ＡＴＡやＳＡＴＡ，ＳＣＳＩ，ＳＡＳ，ＦＣ等の記憶装置２０に関する標準化されたインタフェースの他、記憶装置２０のメーカ等における独自規格のインタフェースも含まれるものとする。
第２インタフェース（Ｉ／Ｆ）１７は、ストレージブレード装置１と本記憶装置搭載枠１００とを接続するためのインタフェースであって、記憶装置搭載枠１００（記憶装置２０）は、この第２インタフェース１７を介して、ストレージブレード装置１および情報処理装置と接続されるようになっている。【００４０】
また、この第２インタフェース１７には、ストレージブレード装置１から電力を供給されるための電力供給線も含まれているものとし、本記憶装置搭載枠１００は、この第２インタフェース１７を介して電力供給が行なわれるようになっている。
さらに、この第１インタフェース１６には、記憶装置２０に対して電力供給を行なうための電力供給線も含まれているものとし、記憶装置２０に対して、この第１インタフェース１６を介して電力供給が行なわれるようになっている。【００４１】
経路スイッチ部１１は、記憶装置２０に対する接続の切替を行なうものであり、具体的には、データ消去制御部１０の指示に従って、記憶装置２０に対して情報処理装置とを接続させたり、又、記憶装置２０と情報処理装置との接続経路を切断して、記憶装置２０に対してデータ消去制御部１０を接続させたりするようになっている。
スイッチ（Ｓ／Ｗ；スイッチ部）Ｓ１は、記憶装置２０のデータを読み出し不可能な状態にする処理を開始する旨の指示（読出抑止指示）を入力可能な入力スイッチであって、図３に示した操作スイッチＳ１により実現されるようになっている。以下、操作スイッチＳ１のことを単にスイッチＳ１という場合がある。【００４２】
そして、このスイッチＳ１の押下によって入力された信号（読出抑止指示）は、データ消去制御部１０に入力されるようになっている。
スイッチ（Ｓ／Ｗ；スイッチ部）Ｓ２は、本記憶装置搭載枠１００がストレージブレード装置（本体装置）１から取り外された（抜かれた）ことを検出する取り出し検出スイッチであり、上述した接続検出スイッチＳ２により構成される。なお、以下、検出スイッチＳ２のことを単にスイッチＳ２という場合がある。【００４３】
また、このスイッチＳ２によって検出される、当該記憶装置搭載枠１００がストレージブレード装置１から取り外されたことを示す検出信号（読出抑止指示）は、データ消去制御部１０に入力されるようになっている。
データ消去制御部（データ読取抑止処理部）１０は、記憶装置２０に格納されたデータの少なくとも一部を読み出し不可能な状態にするものであり、記憶装置２０にアクセスするためのインタフェース制御と、記憶装置２０内のデータを読み出すことをできなくするための制御（データ抑止制御）とを行なうようになっている。【００４４】
また、このデータ消去制御部１０は、必要に応じて、経路スイッチ部１１に対して、記憶装置２０と情報処理装置との間の接続を切り離させるための指示を行なうようになっている。具体的には、データ消去制御部１０は、記憶装置２０に格納されたデータについてデータ読出抑止制御を行なうに先立って、経路スイッチ部１１に対して、記憶装置２０と情報処理装置との間の接続を切り離させる指示を行なうようになっている。【００４５】
データ消去制御部１０による、データ読出抑止制御の具体的な手法としては、例えば、記憶装置２０が、以下に説明する“secure erase”コマンドに対応している場合には、データ消去制御部１０が記憶装置２０に対して“secure erase”コマンドを発行する。
なお、この“secure erase”コマンドは、例えば、ＳＡＴＡの規格に準拠した記憶装置において対応している。【００４６】
この“secure erase”コマンドを受信した記憶装置２０は、以下の（１）〜（４）の少なくともいずれかの処理を行なうことにより、記憶装置２０のデータを読み出し不可能な状態にする。
（１）記憶装置２０のユーザ領域を予め設定された上書き用データ（データパターン；例えば、無意味なデータ）を所定回数書き込むことにより上書き消去を行なう。【００４７】
（２）記憶装置２０がＳＳＤである場合に、全領域の一括消去を行なう。
（３）記憶装置２０が格納されたデータを暗号化する暗号化機能をそなえ、対象のデータが暗号化されている場合には、その管理領域に格納されている復号キー（KEY）を消去することにより、データの復号を行なうことができないようにする。
（４）記憶装置２０がパスワードロック機能をそなえている場合には、データ消去制御部１０は記憶装置２０に対してパスワード設定コマンドを発行することにより予め規定されたパスワードを設定する。又、データ消去制御部１０は、記憶装置２０に対してパスワードロックコマンドを発行することにより、記憶装置２０をパスワードロック状態に設定して、記憶装置２０のデータを読み出し不可能な状態にする。【００４８】
なお、このようなパスワードロック機能は、例えば、ＡＴＡの規格に準拠した記憶装置において対応している。
また、ここで設定するパスワードは、例えば、記憶装置２０のシリアル番号等の情報を用いて予め規定された規則（パスワード生成規則）を適用することにより自動生成してもよい。なお、このようなパスワードの設定手法は機知の種々の手法により実現することができる。【００４９】
一方、記憶装置２０が上記の“secure erase”コマンドに対応していない場合等、“secure erase”コマンドを使用しない場合には、データ消去制御部１０は、“secure erase”コマンドを記憶装置２０に対して発行する代わりに、上述した（１）〜（４）の処理と同様の処理を実現させるべく、記憶装置２０に対する制御を行なう。すなわち、データ消去制御部１０は、少なくとも以下の（１）〜（４）のいずれかの処理を記憶装置２０に対して行なうのである。【００５０】
（１）予め設定されたデータパターン（上書き用データ）を、記憶装置２０上の領域に書き込むライト要求（WRITE要求）を所定回数（複数）発行する。
この上書き用データを用いたデータ消去手法としては、例えば、全て“0”（ALL 0），全て“f”（ALL f），01234567・・・abcdef等の無意味な文字列を上書き用データとして用いてもよく、その他、例えば、米国国防省準拠形式（DOD 5220.22-M）に準拠した消去手法やＮＳＡ（米国国家安全保償局）の勧告に準拠した消去手法を用いてもよい。【００５１】
また、データ消去制御部１０は、かかるライト要求を発行する前に、記憶装置２０に対して例えばＳＣＳＩ規格における“inquiry”コマンド等、デバイスに対して問い合わせを行うコマンドを発行することにより、ディスク領域サイズ等の情報取得を予め行なう。
（２）記憶装置２０がＳＳＤである場合に、全領域の一括消去コマンドを実行する。
（３）記憶装置２０が格納されたデータを暗号化する暗号化機能をそなえ、対象のデータが暗号化されている場合には、その管理領域に格納されている復号キー（KEY）を消去するコマンドを実行することにより、データの復号を行なうことができないようにする。【００５２】
なお、かかる復号キーを消去するコマンドを実行する代わりに、管理領域の復号キーに別のキーを用いて上書きしてもよい。
（４）記憶装置２０がパスワードロック機能に対応している場合には、データ消去制御部１０は記憶装置２０に対してパスワード設定コマンドを発行することにより予め規定されたパスワードを設定するとともに、更に、記憶装置２０に対してパスワードロックコマンドを発行することにより、記憶装置２０をパスワードロック状態に設定する。【００５３】
ＬＥＤ１４は、本記憶装置搭載枠１００におけるオペレータが視認可能な場所に設置され、その点灯状態により本記憶装置搭載枠１００の動作状態を表すＬＥＤであって、後述するＬＥＤ点灯制御部１２によって発光状態を制御されるようになっている。そして、このＬＥＤ１４は、例えば、上述したＬＥＤ発光モジュール１１４および導光部１０１ｄによって実現される。【００５４】
ＬＥＤ点灯制御部１２は、ＬＥＤ１４の発光状態を制御するものであって、データ消去制御部１０が記憶装置２０のデータを読み出し不可能な状態にするための処理を行なっている間、ＬＥＤ１４を点灯もしくは点滅させることにより、その旨をオペレータに対して通知するようになっている。なお、このＬＥＤ点灯制御部１２によるＬＥＤ１４の点灯制御は、既知の種々の手法によって実現することができるものであり、その説明は省略する。【００５５】
そして、本実施形態においては、上述したデータ消去制御部１０，経路スイッチ部１１，ＬＥＤ点灯制御部１２および電源制御部１３としての機能は、図４に示す制御チップ１０６によって実現される。
上述の如く構成された第１実施形態の記憶装置搭載枠１００において、オペレータがスイッチＳ１を押下すると、このスイッチＳ１からデータ消去制御部１０に対してデータ消去指示信号（読出抑止指示）が送信される。【００５６】
データ消去制御部１０は、経路スイッチ部１１に対して、記憶装置２０と情報処理装置との間の接続経路（Ｉ／Ｏ接続経路；例えば、ＳＡＴＡ，ＳＡＳ，ＳＣＳＩ，ＡＴＡ，ＦＣ）の切断を指示する。
経路スイッチ部１１は、この指示に従って記憶装置２０と情報処理装置との間の接続経路を切断するとともに、データ消去制御部１０と記憶装置２０とを接続する。なお、これらのデータ消去制御部１０と記憶装置２０との間の接続経路は、情報処理装置において標準的に用いられているインタフェース（例えば、ＳＡＴＡ，ＳＡＳ，ＳＣＳＩ，ＡＴＡ，ＦＣ）を介した接続経路であってもよく、又、記憶装置２０のメーカ等が規定する独自のインタフェースを介した接続経路であってもよい。【００５７】
また、データ消去制御部１０は、ＬＥＤ点灯制御部１２に対してＬＥＤ１４の点灯指示を行ない、ＬＥＤ点灯制御部１２は、この指示に従ってＬＥＤ１４を点灯もしくは所定間隔で点滅させることにより、オペレータに対して、記憶装置２０のデータ読出抑止制御にかかる処理を実行中であることの通知を開始する。
データ消去制御部１０は、記憶装置２０に対して、例えば、
（１）記憶装置２０のユーザ領域を予め設定された上書き用データを所定回数書き込むことにより上書き消去を行なう。【００５８】
（２）記憶装置２０がＳＳＤである場合に、全領域の一括消去を行なう。
（３）記憶装置２０の管理領域に格納されている復号キーを消去する。
（４）記憶装置２０をパスワードロック状態に設定する。
のうち、いずれかの手法を用いて、記憶装置２０のデータの読み出し不可能な状態にするための処理を行なう。【００５９】
データ消去制御部１０は、記憶装置２０のデータについてのデータ読出抑止制御にかかる処理が完了すると、ＬＥＤ点灯制御部１２に対して、記憶装置２０のデータ読出抑止制御にかかる処理が完了した旨を示す点灯パターン（例えば、消灯状態）となるよう、ＬＥＤ１４に対する制御指示を行なう。
また、データ消去制御部１０は、経路スイッチ１１に対して、データ消去制御部１０と記憶装置２０との接続状態を解除する旨の通知を行ない、経路スイッチ部１１は、この指示に従って、データ消去制御部１０と記憶装置２０との接続状態を解除した後、情報処理装置と記憶装置２０との間の接続経路を再度接続させる。【００６０】
なお、記憶装置搭載枠１００がストレージブレード装置１に搭載された状態においては、このストレージブレード装置１から供給される電力が制御チップ１０６や記憶装置２０，ＬＥＤ１４等に供給され、上述の如きオペレータによるスイッチＳ１の押下に基づく記憶装置２０のデータ読出抑止制御にかかる処理は、このストレージブレード装置１から供給される電力によって実行される。【００６１】
すなわち、第１実施形態の記憶装置搭載枠１００がストレージブレード装置１に取り付けられた状態においては、ストレージブレード装置１から供給される電力が、電源制御部１３の制御に従って、制御チップ１０６や記憶装置２０，ＬＥＤ１４等に供給され、経路スイッチ部１１，データ消去制御部１０，ＬＥＤ点灯制御部１２が機能可能な状態となる。【００６２】
また、本記憶装置搭載枠１００がストレージブレード装置１から取り外された状態においては、バッテリ１５から供給される電力が制御チップ１０６や記憶装置２０，ＬＥＤ１４等に供給され、上述の如きオペレータによるスイッチＳ１の押下に基づく記憶装置２０のデータ読出抑止制御にかかる処理は、このバッテリ１５から供給される電力によって実行される。【００６３】
すなわち、第１実施形態の記憶装置搭載枠１００がストレージブレード装置１から取り外された状態においては、バッテリ１５に蓄電された電力が電源制御部１３の制御に従って、制御チップ１０６や記憶装置２０，ＬＥＤ１４等に供給され、経路スイッチ部１１，データ消去制御部１０，ＬＥＤ点灯制御部１２が機能可能な状態となる。
また、本記憶装置搭載枠１００においては、記憶装置搭載枠１００がストレージブレード装置１から取り外された際に、記憶装置２０のデータを自動的に読み出し不可能な状態にしてもよい。【００６４】
すなわち、本第１実施形態の記憶装置搭載枠１００がストレージブレード装置１から取り外されると、スイッチＳ２がその旨を検知し、データ消去制御部１０が、このスイッチＳ２からの検知信号に基づいて、上述と同様の記憶装置２０のデータ読出抑制制御にかかる処理を実行するのである。
なお、このように本記憶装置搭載枠１００がストレージブレード装置１から取り外されたことをスイッチＳ２により検知した場合に、記憶装置２０のデータ読出抑止制御にかかる処理を自動的に行なう（自動読取抑止）か否かは、オペレータが任意に設定することができるようになっている。【００６５】
例えば、本記憶装置搭載枠１００に図示しないスイッチ（ジャンパスイッチやディップスイッチ等）をそなえ、オペレータがこのスイッチを用いることにより、自動読取抑止を行なうか否かを任意に設定することができ、データ消去制御部１０が、このスイッチの設定状態を判断することにより、記憶装置２０のデータの読出抑止制御にかかる処理を自動的に行なうか否かの判断を行なうのである。【００６６】
このように、本第１実施形態の記憶装置搭載枠１００によれば、オペレータがスイッチＳ１を押下することにより、記憶装置２０のデータを読み出し不可能な状態にすることができ、記憶装置２０のデータの漏洩等を確実に阻止することができるので信頼性を向上させることができる。
また、バッテリ１５に蓄電された電力が電源制御部１３の制御に従って、制御チップ１０６や記憶装置２０，ＬＥＤ１４等に供給されるので、本記憶装置搭載枠１００をストレージブレード装置１から取り外した状態においても、経路スイッチ部１１，データ消去制御部１０，ＬＥＤ点灯制御部１２が機能可能であり、記憶装置２０のデータを確実に読み出し不可能な状態にすることができる。【００６７】
すなわち、情報処理装置から記憶装置２０を取り外した状態であっても、オペレータがスイッチＳ１を押下することにより、この記憶装置２０のデータを読み出し不可能な状態にすることができるので、例えば、記憶装置２０において何らかの問題が生じた場合に、情報処理装置からこの問題が生じた記憶装置２０を迅速に取り外して、代わりに問題のない記憶装置２０を取り付けることにより、情報処理装置のダウンタイムを最小限に抑えることができ、システムの信頼性を向上させることができる。【００６８】
また、本記憶装置搭載枠１００がストレージブレード装置１から取り外されたことをスイッチＳ２により検知した場合に、記憶装置２０のデータの読出抑止制御にかかる処理を自動的に行なうことにより、記憶装置２０のデータを迅速に読み出し不可能な状態にすることができ、記憶装置２０のデータのセキュリティレベルを高くすることができる。
例えば、オペレータがスイッチＳ１を押し忘れた場合であっても、記憶装置２０のデータを確実に読み出し不可能な状態にすることができ、データ漏洩を確実に阻止することができる。【００６９】
なお、例えば、サーバシステムの予防保守作業において、サーバシステムにそなえられたストレージブレード装置１の記憶装置２０を交換した場合には、保守作業員が、このパスワードロック状態に設定された記憶装置２０を工場やサポートセンタに持ち帰る。
ここで、記憶装置２０のデータを読み出し不可能な状態にするための手法として、データ消去制御部１０が記憶装置２０をパスワードロック状態に設定した場合には、この工場等においてパスワード生成規則を知っており、且つ、顧客のデータに対して守秘義務を有している担当者がパスワードロック状態を解除することにより、工場等における記憶装置２０の再現試験等を実施することができるのである。【００７０】
すなわち、客先から工場等までの区間において記憶装置２０のデータをパスワードロック状態で保護することができ、データのセキュリティを保つことができるのである。
（Ｂ）第２実施形態の説明
図６は第２実施形態としての記憶装置搭載枠の機能構成を模式的に示す図である。
本第２実施形態としての記憶装置搭載枠１００は、この図６に示すように、第１実施形態の記憶装置搭載枠１００からスイッチＳ２を除いて構成されたものであり、その他の部分は第１実施形態の記憶装置搭載枠１００と同様に構成されている。【００７１】
なお、図中、既述の符号と同一の符号は同一もしくは略同一の部分を示しているので、その説明は省略する。
すなわち、この第２実施形態としての記憶装置搭載枠１００においては、オペレータによりスイッチＳ１が押下された場合にのみ記憶装置２０のデータを読み出し不可能な状態にするようになっている。【００７２】
このように、第２実施形態としての記憶装置搭載枠１００においても、記憶装置搭載枠１００がストレージブレード装置１から取り外された状態において、オペレータがスイッチＳ１を押下することにより、記憶装置２０のデータを読み出し不可能な状態にすることができ、記憶装置２０のデータの漏洩等を確実に阻止することができるので信頼性を向上させることができる。【００７３】
また、情報処理装置から記憶装置２０を取り外した状態で、この記憶装置２０のデータを読み出し不可能な状態にすることができるので、例えば、記憶装置２０において何らかの問題が生じた場合に、情報処理装置からこの問題が生じた記憶装置２０を迅速に取り外して、代わりに問題のない記憶装置２０を取り付けることにより、情報処理装置のダウンタイムを最小限に抑えることができ、システムの信頼性を向上させることができる。【００７４】
さらに、バッテリ１５に蓄電された電力が電源制御部１３の制御に従って、制御チップ１０６や記憶装置２０，ＬＥＤ１４等に供給されるので、本記憶装置搭載枠１００をストレージブレード装置１から取り外した状態においても、経路スイッチ部１１，データ消去制御部１０，ＬＥＤ点灯制御部１２が機能可能であり、記憶装置２０のデータを読み出し不可能な状態にすることができる。【００７５】
また、オペレータによりスイッチＳ１が押下された場合にのみ記憶装置２０のデータを読み出し不可能な状態にするので、オペレータによる記憶装置２０のデータの管理が容易であり利便性が高い。
（Ｃ）第３実施形態の説明
図７は第３実施形態としての記憶装置搭載枠の機能構成を模式的に示す図である。【００７６】
本第３実施形態としての記憶装置搭載枠１００は、この図７に示すように、第１実施形態の記憶装置搭載枠１００からスイッチＳ１を除いて構成されたものであり、その他の部分は第１実施形態の記憶装置搭載枠１００と同様に構成されている。
なお、図中、既述の符号と同一の符号は同一もしくは略同一の部分を示しているので、その説明は省略する。【００７７】
すなわち、この第３実施形態としての記憶装置搭載枠１００においては、本記憶装置搭載枠１００がストレージブレード装置１から取り外されたことをスイッチＳ２により検知した場合に、記憶装置２０のデータの読み出し不可能な状態にするための処理を自動的に行なうようになっている。
これより、ストレージブレード装置１から記憶装置搭載枠１００が取り外されると、迅速にその記憶装置２０のデータが読み出し不可能な状態になり、記憶装置２０のデータのセキュリティレベルを高くすることができる。【００７８】
（Ｄ）第４実施形態の説明
図８は第４実施形態としての記憶装置搭載枠の機能構成を模式的に示す図である。
本第４実施形態としての記憶装置搭載枠１００は、この図８に示すように、第１実施形態の記憶装置搭載枠１００からスイッチＳ２およびバッテリ１５を除いて構成されたものであり、その他の部分は第１実施形態の記憶装置搭載枠１００と同様に構成されている。【００７９】
なお、図中、既述の符号と同一の符号は同一もしくは略同一の部分を示しているので、その説明は省略する。
すなわち、この第４実施形態としての記憶装置搭載枠１００においては、記憶装置搭載枠１００がストレージブレード装置１に搭載された状態において、オペレータによりスイッチＳ１が押下された場合にのみ記憶装置２０のデータを読み出し不可能な状態にするようになっている。【００８０】
これにより、記憶装置搭載枠１００においては、バッテリ１５やスイッチＳ２をそなえる必要がなく、その製造コストを低減することができるのである。
（Ｅ）その他
開示の技術は、実施形態の趣旨を逸脱しない範囲で種々変形して実施することができる。【００８１】
例えば、上述した各実施形態においては、データ消去制御部１０，経路スイッチ部１１，ＬＥＤ点灯制御部１２および電源制御部１３としての機能は、集積回路として構成された制御チップ１０６によって実現されているが、これに限定されるものではなく、例えば、ＣＰＵ（Central Processing Unit）がメモリに格納されたプログラムを実行することによって実現してもよく、本実施形態の趣旨を逸脱しない範囲で種々変形して実施することができる。【００８２】
また、上述した各実施形態においては記憶装置搭載枠１００がストレージブレード装置１に取り付けられる例について示しているが、これに限定されるものではない。例えば、記憶装置搭載枠１００が情報処理装置に形成されたスロットに直接取り付けられてもよく、又、ブレード方式ではないラックマウント方式のストレージ装置に取り付けられてもよく、その趣旨を逸脱しない範囲で種々変形して実施することができる。【００８３】
また、データ消去制御部１０において用いられる上書き用データ（データパターン）は、オペレータが任意に設定してもよく、このデータパターンの指定を行なうための入力装置をそなえてもよい。
そして、この入力装置として、上述したスイッチＳ１を用いてもよく、例えば、その押下のタイミングや押下時間等を工夫することにより、データパターンを選択することができるようにしてもよい。【００８４】
また、データ消去制御部１０が上書き用データを用いて記憶装置２０のデータの上書き消去を行なう場合には、予め設定された特定の部分のデータだけを上書き消去してもよく、その趣旨を逸脱しない範囲で種々変形して実施することができる。
そして、上述した各実施形態が開示されていれば、記憶装置搭載枠を当業者によって実施・製造することが可能である。
【産業上の利用可能性】
【００８５】
ストレージブレード装置に搭載される記憶装置搭載枠のみならず、情報処理装置に取り外し可能に取り付けられる記憶装置搭載枠にも適用できる。
【図１】
2010029636.tif 000003
【図２】
2010029636.tif 000004
【図３】
2010029636.tif 000005
【図４】
2010029636.tif 000006
【図５】
2010029636.tif 000007
【図６】
2010029636.tif 000008
【図７】
2010029636.tif 000009
【図８】
2010029636.tif 000010
【図９】
2010029636.tif 000011
【図１０】
2010029636.tif 000012
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
データを格納する記憶装置を取り付け可能に構成され、情報処理装置に接続する記憶拡張装置に取り外し可能に取り付けられる記憶装置搭載枠であって、
前記記憶装置を前記記憶装置搭載枠に固定する記憶装置取付部と、
前記記憶装置の読出抑止指示が入力されるスイッチ部と、
前記スイッチ部から前記読出抑止指示が入力された場合に、前記記憶装置に格納された前記データを、上書き用データを用いて上書き消去することにより、前記記憶装置に格納されたデータの少なくとも一部を、読み出し不可能な状態にするデータ読取抑止処理部と、
を有することを特徴とする、記憶装置搭載枠。
【請求項２】
前記スイッチ部が、前記記憶装置搭載枠が前記記憶拡張装置から取り外されたことを検出する取り外し検出スイッチとして構成されたことを特徴とする、請求項１記載の記憶装置搭載枠。
【請求項３】
前記記憶装置搭載枠はさらに、蓄電部をそなえ、
前記記憶装置搭載枠が前記記憶拡張装置から取り外された状態において、前記蓄電部が、前記データ読取抑止処理部に対して電力を供給することを特徴とする、請求項１又は２記載の記憶装置搭載枠。
【請求項４】
前記記憶装置搭載枠はさらに、発光部をそなえ、
前記発光部が、前記データ読取抑止処理部に関する処理状態を発光状態により通知することを特徴とする、請求項１〜３のいずれか１項に記載の記憶装置搭載枠。
【請求項５】
データを格納する記憶装置を取り付け可能に構成され、情報処理装置に接続する記憶拡張装置に取り外し可能に取り付けられる記憶装置搭載枠であって、
前記記憶装置を前記記憶装置搭載枠に固定する記憶装置取付部と、
前記記憶装置の読出抑止指示が入力されるスイッチ部と、
前記スイッチ部から前記読出抑止指示が入力された場合に、前記データが前記記憶装置に暗号化して格納されている場合において、前記記憶装置に格納されている復号情報を消去することにより、前記記憶装置に格納されたデータの少なくとも一部を、読み出し不可能な状態にするデータ読取抑止処理部と、
を有することを特徴とする、記憶装置搭載枠。
【請求項６】
データを格納する記憶装置を取り付け可能に構成され、情報処理装置に接続する記憶拡張装置に取り外し可能に取り付けられる記憶装置搭載枠であって、
前記記憶装置を前記記憶装置搭載枠に固定する記憶装置取付部と、
前記記憶装置の読出抑止指示が入力されるスイッチ部と、
前記スイッチ部から前記読出抑止指示が入力された場合に、前記記憶装置に対してパスワードを設定することにより、前記記憶装置に格納されたデータの少なくとも一部を、読み出し不可能な状態にするデータ読取抑止処理部と、
を有することを特徴とする、記憶装置搭載枠。
【請求項７】
データを格納する記憶装置を取り付け可能に構成され、情報処理装置に接続する記憶拡張装置に取り外し可能に取り付けられる記憶装置搭載枠であって、
前記記憶装置を前記記憶装置搭載枠に固定する記憶装置取付部と、
前記記憶装置の読出抑止指示が入力されるスイッチ部と、
前記スイッチ部から前記読出抑止指示が入力された場合に、前記記憶装置における所定記憶領域を一括消去することにより、前記記憶装置に格納されたデータの少なくとも一部を、読み出し不可能な状態にするデータ読取抑止処理部と、
を有することを特徴とする、記憶装置搭載枠。
【請求項８】
データを格納する記憶装置と、
前記記憶装置を前記記憶装置搭載枠に固定する記憶装置取付部と、
前記記憶装置の読出抑止指示を入力するスイッチ部と、
前記スイッチ部から前記読出抑止指示が入力された場合に、前記記憶装置に格納されたデータの少なくとも一部を、読み出し不可能な状態にするデータ読取抑止処理部と、
を有することを特徴とする、記憶拡張装置。
【請求項９】
記憶装置搭載枠に固定された、データを格納する記憶装置の制御方法において、
前記記憶装置搭載枠が有するスイッチ部に、前記記憶装置の読出抑止指示が入力されるステップと、
前記スイッチ部から前記読出抑止指示が入力された場合に、データ読取抑止処理部が、前記記憶装置に格納されたデータの少なくとも一部を、読み出し不可能な状態にするステップと、
を有することを特徴とする、記憶装置の制御方法。
【手続補正２】
【補正対象書類名】明細書
【補正対象項目名】００１０
【補正方法】変更
【補正の内容】
【００１０】
上記の目的を達成するために、この記憶装置搭載枠は、データを格納可能な記憶装置を取り付け可能に構成され、記憶拡張装置に取り外し可能に取り付けられる記憶装置搭載枠であって、前記記憶装置を前記記憶装置搭載枠に固定する記憶装置取付部と、前記記憶装置に格納されたデータの少なくとも一部を、読み出し不可能な状態にするデータ読取抑止処理部と、前記記憶装置の読出抑止指示を入力するスイッチ部とをそなえ、前記スイッチ部から前記読出抑止指示が入力された場合に、前記記憶装置に格納された前記データを、上書き用データを用いて上書き消去することにより、前記記憶装置に格納されたデータの少なくとも一部を、読み出し不可能な状態にするように構成されている。
なお、前記データが前記記憶装置に暗号化して格納されている場合に、前記データ読取抑止処理部が、前記記憶装置に格納されている復号情報を消去することにより、前記記憶装置に格納されたデータの少なくとも一部を読み出し不可能な状態にしてもよく、又、前記データ読取抑止処理部が、前記記憶装置に対してパスワードを設定することにより、前記記憶装置に格納されたデータの少なくとも一部を読み出し不可能な状態にしてもよく、更に、前記データ読取抑止処理部が、前記記憶装置における所定記憶領域を一括消去することにより、前記記憶装置に格納されたデータの少なくとも一部を読み出し不可能な状態にしてもよい。
【国際調査報告】
2010029636.tif 000013
2010029636.tif 000014
2010029636.tif 000015
2010029636.tif 000016
2010029636.tif 000017
2010029636.tif 000018
2010029636.tif 000019
2010029636.tif 000020
2010029636.tif 000021